(57)【要約】【課題】  移動体通信ネットワークの交換機等の設備を変更することなく、無駄な端末操作や通信を回避しつつ内蔵時計の時刻補正を簡易に行うことができる移動体通信端末を提供する。【解決手段】  サーバからＨＴＴＰ応答を受信したときに、ＨＴＴＰ応答のヘッダ部から現在時刻情報を読み出し、その現在時刻情報に基づいて、内蔵時計の時刻を補正する。ネットワーク側から送出されたプッシュ型の情報配信通知に基づいてＨＴＴＰ通信を開始してもよい。ＨＴＴＰ応答のヘッダ部の受信完了時に前記内蔵時計の時刻補正を開始してもよい。特定のＵＲＬに対するＨＴＴＰ通信を行った場合のみ内蔵時計の時刻補正を実行してもよい。【選択図】  図５
2008098804.tif 000002
【特許請求の範囲】
【請求項１】
内蔵時計と、移動体通信ネットワークを介してサーバとＨＴＴＰ通信を行う通信部とを備えた移動体通信端末であって、
前記サーバからＨＴＴＰ応答を受信したときに、該ＨＴＴＰ応答のヘッダ部から現在時刻情報を読み出し、該現在時刻情報に基づいて、前記内蔵時計の時刻を補正する時刻補正手段を備えたことを特徴とする移動体通信端末。
【請求項２】
請求項１の移動体通信端末において、
前記通信部は、ネットワーク側から送出されたプッシュ型の情報配信通知に基づいてＨＴＴＰ通信を開始することを特徴とする移動体通信端末。
【請求項３】
請求項１又は２の移動体通信端末において、
前記時刻補正手段は、前記ＨＴＴＰ応答のヘッダ部の受信完了時に前記内蔵時計の時刻補正を開始することを特徴とする移動体通信端末。
【請求項４】
請求項１乃至３のいずれかの移動体通信端末において、
前記時刻補正手段は、特定のＵＲＬに対するＨＴＴＰ通信を行った場合のみ前記内蔵時計の時刻補正を実行することを特徴とする移動体通信端末。
【請求項５】
請求項１乃至３のいずれかの移動体通信端末において、
前記時刻補正手段は、前記ＨＴＴＰ応答のヘッダ部の受信完了時に前記内蔵時計の時刻補正を開始する第一の時刻補正モードと、前記ＨＴＴＰ応答の全体の受信完了時に前記内蔵時計の時刻補正を開始する第二の時刻補正モードとを有し、特定のＵＲＬに対するＨＴＴＰ通信を行う場合は前記第一の時刻補正モードを選択して実行することを特徴とする移動体通信端末。
【請求項６】
請求項４又は５の移動体通信端末において、
前記時刻補正手段は、前記特定のＵＲＬに対するＨＴＴＰ通信を開始したときにタイマーを起動し、予め設定した所定のタイムアウト時間が経過する前に前記ＨＴＴＰ応答の全体又はそのヘッダ部を受信した場合にのみ前記内蔵時計の時刻補正を実行することを特徴とする移動体通信端末。
【請求項７】
請求項１乃至６のいずれかの移動体通信端末において、
前記時刻補正手段は、ユーザによる時刻補正機能を選択する操作を検知したときに、前記内蔵時計の時刻補正を実行することを特徴とする移動体通信端末。
【発明の詳細な説明】
【技術分野】
【０００１】
本発明は、時刻データを出力する内蔵時計とＨＴＴＰ通信を行う通信部とを備えた携帯電話機等の移動体通信端末に関するものである。
【背景技術】
【０００２】
携帯電話機等の移動体通信端末は時計を内蔵し、現在時刻を表示することができるが、その内蔵時計の時刻は時間が経つと次第にずれていくため、内蔵時計の時刻を正確な現在時刻に会わせる時刻補正を行う必要がある。この時刻補正を行う移動体通信端末としては、インターネット上で時刻提供サービスを行っているＮＴＰ（ネットワーク・タイム・プロトコル）サーバから時刻情報を取得して時刻合わせを行う携帯電話機（特許文献１参照）が知られている。また、位置登録する際に時計情報の送信要求を付加した位置登録情報を送信し、交換機（移動交換センタ）から基地局を介して送信された時計情報を受信して内蔵時計の時刻補正を行う携帯電話端末が知られている（特許文献２参照）。
【特許文献１】特開２００３−３１５４７８号公報
【特許文献２】特開２００２−２１８５４６号公報
【発明の開示】
【発明が解決しようとする課題】
【０００３】
しかしながら、上記特許文献１に記載の携帯電話機では、内蔵時計の時刻補正のためにＮＴＰサーバにアクセスするための操作や通信を行う必要がある。また、上記特許文献２に記載の携帯電話端末では、上記時計情報の送信要求を受け付けたり時計情報を送信したりするために、移動体通信ネットワークの交換機等の設備を変更する必要がある。
【０００４】
本発明は以上の問題点に鑑みなされたものであり、その目的は、移動体通信ネットワークの交換機等の設備を変更することなく、無駄な端末操作や通信を回避しつつ内蔵時計の時刻補正を簡易に行うことができる移動体通信端末を提供することである。
【課題を解決するための手段】
【０００５】
本発明に係る移動体通信端末は、内蔵時計と、移動体通信ネットワークを介してＷＥＢサーバとＨＴＴＰ通信を行う通信部とを備えた移動体通信端末であって、前記ＷＥＢサーバからＨＴＴＰ応答を受信するときに、該ＨＴＴＰ応答のヘッダ部から現在時刻情報を読み出し、該現在時刻情報に基づいて、前記内蔵時計の時刻を補正する時刻補正手段を備える。この移動体通信端末では、サーバから受信するＨＴＴＰ応答を利用して時刻補正を行うので、そのＨＴＴＰ応答が通過する移動体通信ネットワークの交換機等の設備はそのまま変更せずに使用することができる。また、ＷＥＢページの閲覧等のサーバへの通常のアクセス時に、サーバから受信したＨＴＴＰ応答のヘッダ部から読み出した現在時刻情報に基づいて内蔵時計の時刻補正ができる。従って、時刻補正のためだけにＮＴＰサーバにアクセスするような無駄な端末操作や通信を回避しつつ内蔵時計の時刻補正を簡易に行うことができる。また、ＷＥＢページの閲覧等のサーバへの通常のアクセス時に、ユーザが意識することなく内蔵時計の時刻補正を行うことができる。また、時刻補正のために特殊なプロトコルやサーバを用意する必要がないため、移動体通信端末への実装が容易である。
【０００６】
前記移動体通信端末において、前記通信部は、ネットワーク側から送出されたプッシュ型の情報配信通知に基づいてＨＴＴＰ通信を開始するものであってもよい。この場合は、サーバにアクセスして配信情報を取得する際に、その配信情報を含むＨＴＴＰ応答のヘッダ部から現在時刻情報を読み出し、その現在時刻情報に基づいて内蔵時計の時刻補正ができる。このように配信情報の取得時にユーザが意識することなく時刻補正ができる。
【０００７】
また、前記移動体通信端末において、前記時刻補正手段は、前記ＨＴＴＰ応答のヘッダ部の受信完了時に前記内蔵時計の時刻補正を開始してもよい。この場合は、ＷＥＢページデータ等のデータ本体部分を含むＨＴＴＰ応答の全体の受信完了を待たずに、ＨＴＴＰ応答の現在時刻情報が記述されているヘッダ部の受信が完了したら速やかに時刻補正を開始するので、ＨＴＴＰ応答の残りデータの受信時間に起因した時刻合わせの誤差を抑制し、誤差を時刻補正の精度を高めることができる。また、前記内蔵時計の時刻補正は、前記ヘッダ部に記述されている現在時刻情報を受信したら速やかに時刻補正処理を開始してもよい。
【０００８】
また、前記移動体通信端末において、前記時刻補正手段は、特定のＵＲＬ（Uniform Resource Locator）に対するＨＴＴＰ通信を行った場合のみ前記内蔵時計の時刻補正を実行してもよい。また、前記移動体通信端末において、前記時刻補正手段は、前記ＨＴＴＰ応答のヘッダ部の受信完了時に前記内蔵時計の時刻補正を開始する第一の時刻補正モードと、前記ＨＴＴＰ応答の全体の受信完了時に前記内蔵時計の時刻補正を開始する第二の時刻補正モードとを有し、特定のＵＲＬに対するＨＴＴＰ通信を行う場合は前記第一の時刻補正モードを選択して実行してもよい。
上記特定のＵＲＬは、例えば予め作成したテーブルにリストアップしておき、このテーブルを参照して前記内蔵時計の時刻補正を実行するか否か判断できる。特定のＵＲＬのサーバとしては、例えば内蔵時計が精度よく管理されているＷＥＢサーバが選択される。このように特定のＵＲＬに対するＨＴＴＰ通信を行った場合のみ前記内蔵時計の時刻補正を実行することにより、前記内蔵時計の時刻補正をより安定した精度で実行できる。
【０００９】
また、前記移動体通信端末において、前記時刻補正手段は、前記特定のＵＲＬに対するＨＴＴＰ通信を開始したときにタイマーを起動し、予め設定した所定のタイムアウト時間が経過する前に前記ＨＴＴＰ応答の全体又はそのヘッダ部を受信した場合にのみ前記内蔵時計の時刻補正を実行してもよい。この場合は、上記タイマーのタイムアウト時間を経過し、サーバからの発信から移動体通信端末による受信まで通信時間を要した場合には、前記内蔵時計の時刻補正を実行しないので、ＨＴＴＰ応答の通信時間遅れに起因した時刻合わせの誤差を抑制し、誤差を時刻補正の精度を高めることができる。
【００１０】
また、前記移動体通信端末において、前記時刻補正手段は、ユーザによる時刻補正機能を選択する操作を検知したときに、前記内蔵時計の時刻補正を実行してもよい。この場合は、ユーザが希望する任意のタイミングで、上記ＨＴＴＰ応答を利用した時刻補正を行うことができる。
【００１１】
また、前記移動体通信端末において、前記時刻補正に用いるＨＴＴＰ応答は、前記サーバから提供される任意のＷＥＢページを要求するＨＴＴＰ要求に応答するものであってもよい。この場合は、サーバにアクセスして任意のＷＥＢページを取得する際に、そのＷＥＢページを含むＨＴＴＰ応答のヘッダ部から現在時刻情報を読み出し、その現在時刻情報に基づいて内蔵時計の時刻補正ができる。このようにサーバからのＷＥＢページの取得時にユーザが意識することなく時刻補正ができる。
【００１２】
また、本発明に係る移動体通信端末における時刻補正方法は、移動体通信ネットワークを介してＷＥＢサーバにＨＴＴＰ要求を送信するステップと、前記移動体通信ネットワークを介して前記ＷＥＢサーバからＨＴＴＰ応答を受信するステップと、前記ＨＴＴＰ応答を受信するときに、そのＨＴＴＰ応答のヘッダ部から現在時刻情報を読み出すステップと、前記読み出した現在時刻情報に基づいて移動体通信端末の内蔵時計の時刻を補正するステップと、を含む。
【００１３】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記移動体通信端末における処理及び制御は、これらに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【００１４】
本発明によれば、移動体通信ネットワークの交換機等の設備を変更することなく、無駄な端末操作や通信を回避しつつ内蔵時計の時刻補正を簡易に行うことができる移動体通信端末を提供することができる。
【発明を実施するための最良の形態】
【００１５】
図１は本実施形態に係る携帯電話機（移動体通信端末）を用いた通信システムの一例を示す概略構成図である。この通信システムは、携帯電話機１０と、移動体通信ネットワークとしての携帯電話通信網２０と、ＷＥＢサーバ４０とを備える。携帯電話通信網２０は、無線通信を介した移動体通信を行うための基地局２１や交換機等のネットワーク設備を有している。携帯電話機１０は、携帯電話通信網２０を介して、他の携帯電話機との間で電話やメールの送受信を行ったり、携帯電話通信網２０上のＷＥＢサーバ４０やインターネット３０上のＷＥＢサーバ４０からＷＥＢページなどの情報を取得したりことができる。携帯電話機１０とＷＥＢサーバ４０との間の通信プロトコルとしては、ＨＴＴＰ（HyperText Transfer Protocol）が使用される。携帯電話機１０は、情報の取得を要求するＨＴＴＰ要求をＷＥＢサーバ４０に送信し、ＷＥＢサーバ４０は、ＨＴＴＰ要求で要求されたＷＥＢページ等の情報を含むＨＴＴＰ応答を携帯電話機１０に送信する。このＨＴＴＰ要求及びＨＴＴＰ応答は、例えばＲＦＣ（Request For Comment）１９４５やＲＦＣ２６１６に規格化されているように、ＨＴＴＰ通信に用いられる各種データが記述されたヘッダ部とデータ本体（エンティティ）部とを備えている。本実施形態の時刻補正には、ＨＴＴＰ応答のヘッダ部のＤａｔｅヘッダに記述されている現在時刻情報を読み出して用いる。
【００１６】
図２は、ＨＴＴＰ応答の一例を示す説明図である。図中の矢印Ａで示している部分が、ヘッダ部のＤａｔｅヘッダである。このＤａｔｅヘッダには、ＷＥＢサーバ４０でＨＴＴＰ応答を生成する際に、そのＷＥＢサーバ４０の内部時計に基づいて現在時刻情報が記述される。ＷＥＢサーバ４０は、予め設定された所定のタイミングあるいは定期的に（例えば１日に２回）、ＮＴＰ（ネットワーク・タイム・プロトコル）サーバ等の時刻管理サーバと通信して時刻同期処理を実行し、内部時計の時刻を補正する。携帯電話機１０は、Ｄａｔｅヘッダに記述されている現在時刻情報を読み出して時刻補正に用いる。
【００１７】
図３は、本実施形態に係る携帯電話機１０の外観図である。この携帯電話機１０は、ヒンジ部を中心にして互いに揺動可能な蓋部１０１と本体部１０２とを有する。蓋部１０１は、本体部１０２に設けられたキー操作部のキー１０３ａ〜１０３ｅが操作可能な開状態と、キー操作部のキー１０３ａ〜１０３ｅを覆った閉状態とをとり得るようになっている。上記開状態にある蓋部１０１の外壁部を構成するケーシングには、液晶ディスプレイ（ＬＣＤ）１０４、スピーカ１０５等が設けられている。また、上記本体部１０２の外壁部を構成するケーシングには、上記キー操作部を構成するキー１０３ａ〜１０３ｅ、マイク１０６等が設けられている。これらのキー１０３ａ〜１０３ｅ等からなるキー操作部、および液晶ディスプレイ（ＬＣＤ）１０４は、利用者が操作可能な上記開状態にあるケーシングの利用者に対向する側の外壁部に設けられている。これにより、利用者は、上記液晶ディスプレイ１０４の画面を見ながらキー操作部のキー１０３ａ〜１０３ｅを操作することができる。
【００１８】
図４は携帯電話機１０のハードウェア構成の一例を示すブロック図である。携帯電話機１０は、制御部１１１、内部メモリ１１２、無線通信部１１３及びアンテナ１１４を備えている。また、制御部１１１には、音声処理部１１５を介して音入力手段としてのマイク１１６及び音出力手段としてのスピーカ１１７が接続され、画像処理部１１８を介して表示部１１９が接続され、更にキー操作部１２０が接続されている。また、携帯電話機１０は内蔵時計を構成する時計部１２１も備えている。
【００１９】
上記制御部１１１は、例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。また、制御部１１１は、ＷＥＢサーバ４０から受信したＨＴＴＰ応答のヘッダに記述された現在時刻情報に基づいて時計部（内蔵時計）１２１の時刻補正を行う内蔵時計の時刻を補正する時刻補正手段としても機能する。
【００２０】
上記内部メモリ１１２は、例えばＲＡＭやＲＯＭなどの半導体メモリで構成され、制御部１１１で実行する制御プログラムや各種データを記憶するものである。
【００２１】
上記無線通信部１１４は、制御部１１１で制御され、アンテナ１１４を介して、所定の通信方式により携帯電話通信網２０の基地局２１との間で無線通信を行うものである。この無線通信により、特定の携帯電話機等との間で音声電話通信を行ったり、電子メールの送受信やＷＥＢ４０等のサーバとの間でデータ通信を行ったりすることができる。
【００２２】
上記音声処理部１１５は、マイク１１６から入力された送話音声信号を所定方式で符号化して制御部１１１に送る。例えば、音声処理部１１５は、無線通信部１１３で受信した受話音声信号を復号化してスピーカ１１７から出力する。
【００２３】
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。このキー操作部１２０は、表示部１１９に表示される手動時刻補正等の機能を選択して設定するときにも用いられる。
【００２４】
上記時計部１２１は、ＲＴＣ（リアルタイムクロック）等を用いて構成され、時刻情報（時刻信号）を生成する。この時計部１２１で生成される時刻情報はクロック出力として出力され、液晶ディスプレイ（ＬＣＤ）１０４からなる表示部１１９の日時情報の表示に用いたり、アラーム時刻に所定の動作を実行するアラーム制御に用いたりする。また、時計部１２１は、ユーザ時刻情報及びシステム時刻情報の２種類の時刻情報を生成し、クロック出力として出力できる。ユーザ時刻情報はユーザが手動で時刻補正可能な時刻情報である。システム時刻情報は、ＤＲＭ（デジタル著作権管理：Digital Rights Management）等で使用され、セキュアクロックとも呼ばれる。本実施形態の携帯電話機１０は、これらの時計部１２１の２種類の時刻情報に対して、ＨＴＴＰ応答のヘッダ部から読み出した時刻情報による時刻補正を一括して行うことができる。
【００２５】
図５は、ＷＥＢページの取得時に実行する時刻補正処理の流れの一例をシーケンス図である。まず、ユーザが携帯電話機１０を操作してブラウザを起動し、ＷＥＢサーバ４０へアクセスする操作を行う（Ｓ１，Ｓ２）。例えば、ＷＥＢ閲覧サービスの窓口となるポータルサイトのＷＥＢページを提供するＷＥＢサーバ４０へアクセスする操作を行う。この操作により、携帯電話機１０は、予め設定されているＵＲＬやユーザが入力したＵＲＬのデータに基づいて、希望するＷＥＢページのデータを要求するＨＴＴＰ要求をＷＥＢサーバ４０に送信する（Ｓ３）。ＷＥＢサーバ４０は、ＨＴＴＰ要求を受信したら、ヘッダ部に所定のデータを記述するとともにユーザが希望するＷＥＢページのデータをデータ本体部に付加したＨＴＴＰ応答を生成し、そのＨＴＴＰ応答を携帯電話機１０に送信する（Ｓ４）。このＨＴＴＰ応答のヘッダ部のＤａｔｅヘッダには、ＷＥＢサーバ４０の内部時計に基づいて、現在の日付及び時刻のデータが記述される。
【００２６】
次に、携帯電話機１０は、上記ＨＴＴＰ応答を受信すると、ＨＴＴＰ応答のヘッダ部のＤａｔｅヘッダ部から現在時刻情報を読み出し、その現在時刻情報に基づいて、時計部１２１から出力される時刻情報について時刻補正を実行する（Ｓ５，Ｓ６）。また、携帯電話機１０の表示部には、ＨＴＴＰ応答にデータ本体部のデータに基づいて、ユーザが要求したＷＥＢページが表示される。このＷＥＢページの表示は、Ｄａｔｅヘッダ部からの現在時刻情報の読み出しと同時に開始してもいいし、時刻補正の終了後の開始してもよく、任意のタイミングで開始できる。
【００２７】
以上、本実施形態によれば、携帯電話通信網２０の交換機等の設備を変更することなく、無駄な端末操作や通信を回避しつつ携帯電話機１０の内蔵時計の時刻補正を簡易に行うことができる。また、上記実施形態では、ユーザが特定のＵＲＬであるＷＥＢサービスのポータルサイトにアクセスする操作を行ったときに、ユーザに意識させないで内部時計の時刻補正を行うことができる。
【００２８】
図６は、他の実施形態に係るＷＥＢページの取得時に実行する時刻補正処理の流れの一例をシーケンス図である。上記ＨＴＴＰ応答のヘッダ部のデータサイズは数１０バイト〜１００バイト程度であるが、データ本体部のデータサイズはヘッダ部の１００倍以上となる場合があり、ＨＴＴＰ応答の全体の受信が完了してから時刻補正を行ったのでは、ＷＥＢサーバ４０で現在時刻情報を記述したタイミングと携帯電話機１０でＨＴＴＰ応答を受信して時刻補正を行うタイミングとの間の時間差が大きくなって時刻補正の精度が低下してしまうおそれがある。そこで、図６の時刻補正処理では、時刻補正に用いる現在時刻情報を含むヘッダ部の受信が完了したタイミングで、時刻補正を開始している（Ｓ５〜Ｓ７）。これにより、ＷＥＢサーバ４０で現在時刻情報を記述したタイミングと携帯電話機１０でＨＴＴＰ応答を受信して時刻補正を行うタイミングとの間の時間差が大きくなるのを抑制し、時刻補正の精度の低下を防止できる。
なお、ＷＥＢページの表示は、図６に示すようにＨＴＴＰ応答のデータ本体部の受信が完了してから開始してもいいし、ＨＴＴＰ応答のデータ本体部の受信を開始した後、準備ができしだい開始するようにしてもよい。
また、上記ヘッダ部全体の受信が完了するのを待たずに、そのヘッダ部の少なくともＤａｔｅヘッダの部分を受信し終わったタイミングで、上記時刻補正を開始してもよい。
【００２９】
また、本実施形態において、ＨＴＴＰ応答のヘッダ部の受信完了時に時刻補正を開始する第一の時刻補正モードと、ＨＴＴＰ応答のデータ本体部を含む全体の受信完了時に時刻補正を開始する第二の時刻補正モードとを実行可能に構成し、アクセス先のＵＲＬに応じて第一の時刻補正モードと第二の時刻補正モードとを切り換えて実行するように制御してもよい。例えば、特定のＵＲＬのＷＥＢサイトに対するＨＴＴＰ通信を行う場合は、前記第一の時刻補正モードを選択して実行するようにしてもよい。
【００３０】
図７は、更に他の実施形態に係るＷＥＢページ取得時のＨＴＴＰ送信処理の流れの一例をフローチャートである。ＷＥＢページを取得する際のＨＴＴＰ通信にはＨＴＴＰタイマーが用いられる。このＨＴＴＰタイマーはＨＴＴＰ要求を送信したタイミングでリセットされて計時を開始し、予め設定した所定のタイムアウト時間が経過するまで、ＨＴＴＰ応答を待つ。ＨＴＴＰ応答を受信する前に、上記タイムアウト時間が到来したら、ＨＴＴＰ要求を再送したり、ＨＴＴＰ応答の受信を止めてＨＴＴＰ通信を終了したりする。ところが、有線通信の場合に比較して通信状況が悪い場合が多い無線通信を用いる携帯電話機では、上記タイムアウト時間が長めに設定される（例えば１２０秒）。上記タイムアウト時間が長いと、ＨＴＴＰ応答の送信から受信までの時間がかかった状態でＨＴＴＰ応答が受信される場合もある。この場合には、ＷＥＢサーバ４０で現在時刻情報を記述したタイミングと携帯電話機１０でＨＴＴＰ応答を受信して時刻補正を行うタイミングとの間の時間差が大きくずれ、時刻補正の誤差が大きくなってしまうおそれがある。
【００３１】
そこで、図７のＨＴＴＰ送信処理では、時刻補正に用いる特定のＵＲＬのＷＥＢサイトにアクセスするときには、通常のタイムアウト時間（例えば１２０秒）よりも短い時刻補正専用のタイムアウト時間（例えば５秒）を用いる時刻補正専用のＨＴＴＰタイマーを設定している。図７において、ユーザが携帯電話機１０を操作してブラウザを起動し、ＷＥＢサーバ４０へアクセスする操作を行うと（Ｓ１，Ｓ２）、携帯電話機１０は、予め作成しておいたＵＲＬテーブルを参照し（Ｓ３）、アクセス対象のＷＥＢサイトが時刻補正を行うＷＥＢサイトか否かを判断する（Ｓ４）。ここで、時刻補正を行うＷＥＢサイトでない場合は、タイムアウト時間として例えば１２０秒を用いる通常のＨＴＴＰタイマーが設定される（Ｓ５）。一方、時刻補正を行うＷＥＢサイトである場合は、タイムアウト時間として例えば５秒を用いる時刻補正用のＨＴＴＰタイマーが設定される（Ｓ６）。このように適正なＨＴＴＰタイマーが設定された状態で、ＨＴＴＰ要求が生成されて送信される（Ｓ７，Ｓ８）。
【００３２】
以上のように、時刻補正を行う特定のＵＲＬのＷＥＢサイトにアクセスするときには、通常よりも短いタイムアウト時間を使用する時刻補正用のＨＴＴＰタイマーを設定してＨＴＴＰ要求を送信することにより、ＷＥＢサーバ４０で現在時刻情報を記述したタイミングと携帯電話機１０でＨＴＴＰ応答を受信して時刻補正を行うタイミングとの間の時間差が数秒以上となるような場合には、ＨＴＴＰ応答を受信しないで内蔵時計に反映させないので、時刻補正の精度の低下を防止できる。
【００３３】
なお、上記実施形態では、ユーザが携帯電話機１０を操作してＷＥＢポータルサイトにアクセスするときにＨＴＴＰ応答を用いた内蔵時計の時刻補正を行っているが、他のタイミングに同様な時刻補正を行うようにしてもよい。
【００３４】
例えば、図８に示すようにプッシュ型の情報配信システム（例えば、予め登録したユーザに情報を配信するＣａｓｔｉｎｇシステム）で配信される情報をＨＴＴＰ通信で取得するときに、時刻補正を行ってもよい。図８において、ユーザの携帯電話機１０に情報を配信するときは、まず、ＳＭＳ（ショート・メッセージ・サービス）を使って配信管理サーバ４１から携帯電話機１０に、情報取得先のＵＲＬ情報を含む配信通知が送信される（Ｓ１）。携帯電話機１０は、上記配信通知を受信すると、その配信通知に含まれる情報取得先のＵＲＬで指定されるＷＥＢサーバ４０に、配信対象のＷＥＢページのデータを要求するＨＴＴＰ要求を送信する（Ｓ２、Ｓ３）。このＨＴＴＰ要求に対するＨＴＴＰ応答のヘッダ部に記述されている現在時刻情報に基づいて、携帯電話機１０の内蔵時計の時刻補正が行われる（Ｓ４〜Ｓ６）。
【００３５】
また、図９及び図１０に示すように、携帯電話機１０の各種機能メニューの日時設定メニューにおいて「手動時刻補正」をユーザが選択したときに、予め設定したＷＥＢサーバ４０又は任意のＷＥＢサーバ４０に自動アクセスし、時刻補正を行うようにしてもよい。例えば、図１０において、日時設定の画面９０１上で「時刻補正設定」を選択し、更に時刻補正設定の画面９０２で「手動補正」を選択すると（図９のＳ１）、時刻補正の確認画面９０３が表示される。ここで、「はい」を選択すると、携帯電話機１０は、ＷＥＢサーバ４０内の任意のＷＥＢページのデータを要求するＨＴＴＰ要求を送信し（Ｓ２、Ｓ３）、補正中の画面９０４を表示する。このＨＴＴＰ要求に対するＨＴＴＰ応答（例えば「２００ＯＫ」又は「４０４ＮｏｔＦｏｕｎｄ」）を受信すると、そのＨＴＴＰ応答のヘッダ部に記述されている現在時刻情報に基づいて、携帯電話機１０の内蔵時計の時刻補正が行われ（Ｓ４〜Ｓ６）、補正完了の画面９０５が表示される。この場合、ＨＴＴＰ応答のデータ本体部（エンティティ）のデータは表示されない。
【図面の簡単な説明】
【００３６】
【図１】本発明の実施形態に係る携帯電話機を用いた通信システムの一例を示す概略構成図。
【図２】ＨＴＴＰ応答の一例を示す説明図。
【図３】携帯電話機の外観図。
【図４】携帯電話機のハードウェア構成の一例を示すブロック図。
【図５】ＷＥＢページの取得時に実行する時刻補正処理の流れの一例をシーケンス図。
【図６】他の実施形態に係るＷＥＢページの取得時に実行する時刻補正処理の流れの一例をシーケンス図。
【図７】更に他の実施形態に係るＷＥＢページ取得時のＨＴＴＰ送信処理の流れの一例をフローチャート。
【図８】更に他の実施形態に係るＷＥＢページの取得時に実行する時刻補正処理の流れの一例をシーケンス図。
【図９】更に他の実施形態に係るＷＥＢページの取得時に実行する時刻補正処理の流れの一例をシーケンス図。
【図１０】携帯電話機の画面遷移の説明図。
【符号の説明】
【００３７】
１０    携帯電話機
２０    携帯電話通信網
３０    インターネット
４０    ＷＥＢサーバ
１１１  制御部
１２１  時計部
【図１】
2008098804.tif 000003
【図２】
2008098804.tif 000004
【図３】
2008098804.tif 000005
【図４】
2008098804.tif 000006
【図５】
2008098804.tif 000007
【図６】
2008098804.tif 000008
【図７】
2008098804.tif 000009
【図８】
2008098804.tif 000010
【図９】
2008098804.tif 000011
【図１０】
2008098804.tif 000012